(57)【要約】【課題】反りや伸縮して取り扱いの悪い無垢の木材を、無垢の良さをそのままにして狂いを止めて、合板のような取り扱いのよい、無垢の積層合板を供給する。【解決手段】無垢材を薄くすることにより狂う力を無くし、それを目的の幅に並べて積層に接着する事により、幅広の丈夫で無垢の良さを持った、無垢の積層合板を作る。【選択図】図１
2004314575.tif 000002
【特許請求の範囲】
【請求項１】
無垢板材を積層に接着した積層合板
【発明の詳細な説明】
【０００１】
【発明の属する技術分野】
この発明は小幅で薄い無垢の板を積層に接着して、大きな板状にして無垢の良さを生かし、施工の簡便さをもたせた無垢材の積層合板。
【０００２】
【従来の技術】
無垢の木を床、壁、天井、家具などに使用して木の良さを楽しむには、職人に施工を頼まなければならない。当然割高になる。
合板や化粧板を使用すると、施工は楽でもあまり長くよい状態が保てない。
年月が経てば「ベニヤ造り」といわれ良くないものの代名詞のように、少しの力で破断したり、ささくれだって見苦しくなる
【０００３】
【発明が解決しようとする課題】
無垢の木の良さと、合板の施工の良さを併せ持った板を作る事が出来れば良い。積層合板といえばベニヤ板になるが単板を重ねて接着した物である。
単板は丸太をかつらむきのように、芯に向かって連続して薄く剥ぐように刃物で切り込みながら作った薄い板である、この時木の組織や繊維に関係なく、切り取っていくのと、刃物の角度で木目と平行に細かく板を折り曲げる力が働き、繊維や組織が分断されて、木の特長である粘り強さがなくなってしまう。
ベニヤ板の破断しやすいのはこの原因が主なものである。
それと時間の経過と共に表面が毛羽たったりささくれたつのもこれに起因する。又鉋と同じように木の目と同じ方向に刃物で削って鉋屑のように薄くした突き板を合板等に接着した、突き板化粧合板も同様である。
刃物で削る行為は、刃先の角度で木の繊維や組織を折り曲げている状態になるので、相当な部分で細かく破断した状態になっている。
木目（夏目は柔らかく冬目は堅く色も濃い）は材質の均一でない現われで、又同心円でないのも木の特長である、その事も削ったとき組織が均一にならず、いためつけられる事になる。
そのため単板が破れやすかったり、合板が折れたり破断し易くなり、木、本来の強度が保たれていない事になる。
単板の状態で伸縮する力や、狂いやすい力が分断されているので、合板になっても狂いが出なくてすむ、反面、木の粘りが無くなっている。
例えば合板の６ミリ厚板と、無垢の３ミリ板を２枚重ねた６ミリ厚板とでは、強度ではぜんぜん違ってくる。
木肌の滑らかさも、断然違ってささくれたって来る、無垢の良さはここにある。年月が経てば歴然としてくる、「ベニヤの造り」は良くないものの代名詞に受けとめられるのはこれらの差による。
木材の材質で一番の特長は、金属のように均一でない事である、生き物である事、伸縮率の違う夏目冬目が混在していて、湿気で絶えず伸縮する事。それらは、そり、曲がり、幅の伸縮として現れる。
【０００４】
一方無垢の良さは丈夫で長持ちがする、いつまでも木肌がきれいで滑らかな事である。
無垢の木を床や壁などに張るのは、大変よい事は分かっていても簡単に使用できないのは、施工後で木が狂って見苦しくなったり、隙間が空いたりしかねない事などの心配も有る。
幅の狭い板を隙間なく、きれいに並べ施工しなければならない、木の伸縮も考慮考せねば、後で湿気のため膨張して盛り上がったり、乾燥して隙間が出来たり問題がおきる。
木の伸縮は避けられないので、継ぎ手を合い欠き、さねはぎ、等加工した物になる。
施工は専門家の手による事になる。当然高価になる。
【０００５】
【課題を解決するための手段】
無垢の木の良さをそのままにベニヤのように、手軽に取り扱えるようにするには、無垢で合板のように取り扱いがよく、施工のし易い大きさにすればよい、しかも無垢の木のように狂わないようにして。
木材の反りや伸縮を止める事が出来る条件は、合板に見られるように薄くした板を張り合わせればよい。
実際には無垢で１ミリ以上の板厚で、適当な板幅の物を並べて合板の大きさに揃えた物を用意して、二枚以上重ねて接着して出来る。この時木目を平行にするか、クロスして積層にするかによって、性質の異なる板になる。
板幅については、丸太を製材して柱材を取るとき木の縮みや反り、曲がりを考慮して目的の寸法より大き目に挽いてから、乾燥し素性により起こる、曲がりや、反りを修正するためにもう一度目的の寸法に挽き直すが、この時薄い板が廃材として出るので、これを利用すると柱の幅の板で薄い物が出来る。
この板を幅、厚みともきちんと揃えて、所定の長さに切ってこれを使用目的の大きさに並べたものを、積層に接着する。
厚さも幅も決められた制限がないので、製材の際出る端材で間に合う事は当然である。
間伐材の有功利用も可能になる。
間伐材のような小径木の、利用が進まない原因の一つに、小径木は狂いやすく、素材のときは、無論製品になってからも、高品質を保てない事にある。
丸太の中心部である心材は特に硬く、割れ易く、狂い易い、特長が有り、小径木ほど際立っているので、敬遠される。
この問題は薄い板にする事で、解決する事が出来る、狂いの主な原因は材の組織が均一でない事、木には夏目冬目が有り伸縮率が違い、しかも偏心円を描いている丸太から板状の物を取る事にある。また木材は目痩せと言われる現象が有り、表面が乾燥により縮んで、内面が同じ速度で縮まず、内面になるほど遅れて縮み、相対的には年月を経て、寸法適に小さくなっていく。
急激に目痩せがおきると、木材の割れが現われたり狂う事になる。その力は強力でなかなか止める事はできない。
板の裏と表の伸縮の違いが、反りや、曲がりになって現れる、厚い板ほど反りの力が強く薄い板ほど弱くなる、そこで伸び縮みの力が弱くて板の反りにつながらないほどに薄くするか、伸縮の影響が出ないほど板幅を狭くするなど、わずかな力で、反りがとまる状態に保てばよい。
現実には目安として約６ミリ以下の厚みにした板を、確りしたものに接着してしまえばその板は伸縮がほぼ完全に止まり、狂いを押さえられることができる。
木の伸縮は、木の長さ方向にはほんの僅かなので、固定している状態と考え幅方向の動きを止める事で狂わない板になる。
幅方向の動きを固定するには、動かない長さ方向に接着する事によりできる、この時板の厚みが薄い事が条件である事は、前に述べた通りである
この状態は木目をクロスして接着した合板になる。
このとき裏表二枚の板の厚さが同じ事が、製品の狂いをなくす大事な事である。奇数枚積層にする事も狂いのこない事になる。
【０００６】
またこの薄い板を既存の確りした板、たとえば合板等（あまり薄くない事、薄いと完成品が反ってしまう）に接着する事で、無垢板を張り詰めた様に見える合板（図２）になる。
またはこの薄い板を狂いの少ない角材を並べた物に、接着すればしっかりした板（図４）も出来る。
この時もこの角材は幅が広くなく、角材の伸縮が影響しない大きさにする必要が有る。
無垢の木を使用した合板は、木口面もベニヤのようにばらつかず（ささくれたつ事がなく）見劣りせず使用できる。
【０００７】
【発明の実施の形態】
以下、本発明の実施の形態について説明する。
無垢の木を狂わないように薄い物にする、それを並べて確りしたものと積層に接着することにより、無垢でしかも合板並みに取り扱い施工が出来る板が提供できる。
【０００８】
薄くした無垢の板を目的の長さに切り、必要な幅になるように並べて板状（１）にする。もう一枚は縦横の長さと幅を入れ替えた板状の物を作り接着する、こうすると表と裏の木目がクロスした板（図１）になる。
表板の幅方向の伸縮を、裏板の縦て目の伸縮が無い方で止め、裏板はその反体の作用で縦横とも寸法の狂いが起きずにすむ。
又そりも僅少に収まる。
合板と同じように奇数枚重ねてもよい。
【０００９】
薄くした無垢の板（１）を、既存の合板（２）に接着する方法（図２）も有る。合板が薄い場合は、合板の両面にこの無垢の板を接着すると、そりが出ない。
【００１０】
薄くした無垢の板を角材を並べて板状にした物（４）に、接着するとしかりした盤（図４）になる。この時角材は、幅の狭い物を並べる事が条件になる。
角材の替りに板材もよいがこの板材が狂わないように柱材の背引き（影引き）のように切り込みを細かに入れてこの板（５）の伸縮やそりを止めておく必要が有る。
薄くした無垢の板の代りに少し厚い板の裏面に切り込みを入れて積層にする方法も有るが切り込みの入った部分で割れが生じて見苦しくなる恐れも有る。
この切り込みを入れる方法を利用すると天然で大径木の無垢の一枚板でも狂わずに施工できる、当然表のみの片面利用の時になる。
尊くなった大径木を突き板にして大量に作る手も有るが突き板製品の寿命を考えると量は少なくなるが無垢の良さを長く保てる方法である
【００１１】
アール面の施工のよさや強度を確保するには、曲げに強い板紙や、竹を板状（３）にしたものを、この無垢薄板と積層に接着して裏打ちすればよい。又は（図３）のように積層の中間部分に入れて接着するのも良い。
また平行合板の様に木目を平行に積層にする事でも比較的、木の伸縮を押さえた曲がりのよい無垢の合板が出来る。この時は表板裏板の継ぎ目が合わさらないようにするのは当然である
【００１２】
【発明の実施例】
既存住宅で床の表面が傷んだようなとき、取り替えずにその上にこの板を張るだけですむ、腰壁がなく傷んだ壁には簡単に施工できる、無垢で板厚がなくても狂わないから出来る事である。無垢の良さが生きていて施工もベニヤをはる感覚で出来る。
天井板には無垢の良さと、軽くて施工の良さが嬉しい。
【００１３】
同じ厚さの物なら、合板とは、比べ物にならない強度が有るので、高級家具の裏板、アール面の造作、無垢の造作で狂いが許されないところなど、その他化粧板や樹脂板に変わる物として使える。
【００１４】
無垢の良さをそのままに、長さ、幅が、自由になるので特殊の物、例えば大型の箱など比較的軽く仕上がる。
日曜大工などでも、ベニヤ感覚で、無垢の板製の物を作り仕上げることができる。
【図面の簡単な説明】
【図１】無垢薄板で木目をクロスして積層に接着した無垢の積層合板。
【図２】無垢薄板を別の合板に積層に接着した無垢の積層合板。
【図３】表裏、無垢の積層合板で積層の中間部分に、板紙又は竹、合板等を挿入して積層に接着した無垢の積層合板。
【図４】無垢薄板を角材に積層に接着した無垢の積層合板。
【図５】無垢薄板を無垢の厚板に、積層に接着した無垢の積層合板。
【図６】板の幅両端面角に面取り加工した無垢薄板
【符号の説明】
１      無垢薄板
２      合板
３      板紙、竹材、合板などの中間層
４      無垢角材
５      無垢厚板
６      切り込み
７      面取り加工した無垢薄板
【図１】
2004314575.tif 000003
【図２】
2004314575.tif 000004
【図３】
2004314575.tif 000005
【図４】
2004314575.tif 000006
【図５】
2004314575.tif 000007
【図６】
2004314575.tif 000008